(57)【要約】【課題】所定の印刷ジョブを完了するためのジョブ時間を短くする。【解決手段】複合機は、印刷ジョブが実行される場合に、通常モード及びスリープモードを経た後に当該ジョブが完了するまでの第１ジョブ完了時間が、通常モード及び温度保護モードを経た後に当該ジョブが完了するまでの第２ジョブ完了時間以上であるか否かを予め判定する判定処理と、判定処理において、第１ジョブ完了時間が第２ジョブ完了時間以上である場合、当該ジョブが完了するまでに通常モード又は温度保護モードをとるように、第１ジョブ完了時間が第２ジョブ完了時間未満の場合、当該ジョブが完了するまでに通常モード又はスリープモードをとるように、第１電子部品及び第２電子部品への電力供給を制御するモード選択処理とを実行する電力制御回路を含む。【選択図】図３
2019018443.tif 000002
【特許請求の範囲】
【請求項１】
画像記録が行われる通常モードと、画像記録が行われず前記通常モードよりも消費電力が少ない温度保護モードと、画像記録が行われず前記温度保護モードよりも消費電力が少ないスリープモードとの間で、モード移行を行うことが可能な画像記録装置において、
第１電子部品と、
前記第１電子部品からの電力供給によって駆動される画像記録部を含む複数のデバイスと、
前記第１電子部品に制御信号を供給する第２電子部品と、
前記第２電子部品又はその近傍の温度を検出する温度センサと、
前記通常モードでは、前記第１電子部品及び前記第２電子部品への電力供給を行い、前記温度保護モードでは、前記温度センサで検出された温度に基づいて、前記第２電子部品への電力供給を行いつつ前記第１電子部品への電力の供給を制限し、前記スリープモードでは、前記温度センサで検出された温度に基づいて、前記第１電子部品及び前記第２電子部品への電力の供給を制限する電力制御部とを備えており、
前記電力制御部は、
前記複数のデバイスを駆動して画像記録を行うジョブが実行される場合に、前記通常モード及び前記スリープモードを経た後に当該ジョブが完了するまでの第１ジョブ完了時間が、前記通常モード及び前記温度保護モードを経た後に当該ジョブが完了するまでの第２ジョブ完了時間以上であるか否かを予め判定する判定処理と、
前記判定処理において、前記第１ジョブ完了時間が前記第２ジョブ完了時間以上である場合、当該ジョブが完了するまでに前記通常モード又は前記温度保護モードをとるように、前記第１ジョブ完了時間が前記第２ジョブ完了時間未満の場合、当該ジョブが完了するまでに前記通常モード又は前記スリープモードをとるように、前記第１電子部品及び前記第２電子部品への電力供給を制御するモード選択処理とを実行することを特徴とする画像記録装置。
【請求項２】
前記電力制御部は、前記第１ジョブ完了時間が前記第２ジョブ完了時間以上である場合、
前記ジョブを開始してから完了するまでの間に、前記温度センサによって検出された温度が所定の上限温度に達したときに前記温度保護モードをとるように、前記第１電子部品及び前記第２電子部品への電力供給を制御する、前記モード選択処理としての温度保護モード開始処理と、
前記温度センサによって検出された温度が、前記上限温度よりも低い前記温度保護モードを解除するための温度保護モード解除温度にまで低下したときに、前記通常モードをとるように、前記第１電子部品及び前記第２電子部品への電力供給を制御する、前記モード選択処理としての温度保護モード解除処理とを実行することを特徴とする請求項１に記載の画像記録装置。
【請求項３】
前記電力制御部は、前記第１ジョブ完了時間が前記第２ジョブ完了時間未満である場合、
前記ジョブを開始してから完了するまでの間に、前記温度センサによって検出された温度が所定の上限温度に達したときに前記スリープモードをとるように、前記第１電子部品及び前記第２電子部品への電力供給を制御する、前記モード選択処理としてのスリープモード開始処理と、
当該ジョブのうちの未実行分を実行したときに前記温度センサで検出される温度の予測上昇幅が前記判定処理において前記温度センサで検出された温度と所定の下限温度との差分以上であれば前記下限温度を、前記予測上昇幅が前記差分未満であれば前記判定処理において前記温度センサで検出された温度から前記予測上昇幅を差し引いた温度を、前記スリープモードを解除するためのスリープモード解除温度として導出するスリープモード解除温度導出処理と、
前記温度センサによって検出された温度が、前記スリープモード解除温度にまで低下したときに、前記通常モードをとるように、前記第１電子部品及び前記第２電子部品への電力供給を制御する、前記モード選択処理としてのスリープモード解除処理とを実行することを特徴とする請求項１に記載の画像記録装置。
【請求項４】
前記判定処理は、前記温度センサで検出された温度が前記上限温度に達した時に実行されることを特徴とする請求項２又は３に記載の画像記録装置。
【請求項５】
前記判定処理は、当該判定処理の対象となる一つのジョブについて、その直前のジョブの完了後であって当該一つのジョブの受信時に実行されることを特徴とする請求項１に記載の画像記録装置。
【請求項６】
前記判定処理は、当該判定処理の対象となる一つのジョブについて、その直前のジョブの完了時に実行されることを特徴とする請求項１に記載の画像記録装置。
【請求項７】
前記判定処理においては、前記温度センサで検出された温度が、予め想定したジョブを前記直前のジョブの完了後から所定のタイミングまでに実行した場合に前記第１ジョブ完了時間が前記第２ジョブ完了時間未満となる境界を示すスリープ移行判定温度以上であるか否かを判定することで、前記第１ジョブ完了時間が前記第２ジョブ完了時間未満であるか否かを判定することを特徴とする請求項６に記載の画像記録装置。
【請求項８】
前記電力制御部は、前記ジョブを開始してから完了するまでの間に少なくとも１つの前記デバイスの駆動エラーが生じた場合、前記第１電子部品から前記複数のデバイスへの電力の供給が停止される状態をとるように、前記第１電子部品への電力供給を制御するエラー処理をさらに実行し、
前記判定処理は、前記デバイスの駆動エラーが生じてから前記エラー処理が終了するまでに実行されることを特徴とする請求項１に記載の画像記録装置。
【請求項９】
前記駆動エラーが生じたときに、ユーザにエラーが生じたことを報知するための報知手段をさらに備えていることを特徴とする請求項８に記載の画像記録装置。
【請求項１０】
環境温度を検出するための、前記温度センサとは別の温度センサをさらに備えており、
前記電力制御部は、前記別の温度センサによって検出された環境温度に応じて、前記第１ジョブ完了時間及び前記第２ジョブ完了時間を変化させることを特徴とする請求項１〜９のいずれか１項に記載の画像記録装置。
【発明の詳細な説明】
【技術分野】
【０００１】
本発明は、記録媒体に画像を記録する画像記録装置に関する。
【背景技術】
【０００２】
特許文献１には、画像形成部を含むサブシステムと、サブシステムでの画像形成を制御するメインシステムと、メインシステム及びサブシステムに対しての電力供給を制御する電力制御部とを含む画像形成装置について記載されている。この画像形成装置において、メインシステムは、半導体メモリ、半導体メモリの温度を検出する温度センサ、画像形成制御部などを有している。電力制御部は、所定の移行条件を満足したときに（例えば、印字終了後、所定時間以内に次の印刷ジョブを受信しなかった場合）、半導体メモリの温度情報に基づいて、メインシステム及びサブシステムへの電力供給を停止する省エネルギーモードに移行するタイミングを制御する。つまり、電力制御部は、省エネルギーモードへの移行条件を満たしたときにサブシステムに対しては直ちに電力供給をＯＦＦにする一方、半導体メモリの温度が基準値以下であれば、メインシステムへの電力供給を直ちにＯＦＦにし、半導体メモリの温度が基準値よりも高ければ、温度が基準値以下になるまで、メインシステムへの電力供給をＯＦＦにするタイミングを遅らせる。このため、半導体メモリの急激な温度低下を回避することが可能となり、半導体メモリの耐久性が劣化するのを抑制することができる。
【先行技術文献】
【特許文献】
【０００３】
【特許文献１】特開２０１１−１４８０９６号公報
【発明の概要】
【発明が解決しようとする課題】
【０００４】
プリンタなどの画像記録装置においては、例えば、受信した印刷ジョブを実行することでメインシステムの電子部品の温度が上限温度に達した場合、当該温度を下げるために、メインシステムへの電力供給を継続するもののサブシステムへの電力供給を停止（制限）させることで、電子部品の温度を低下させることがある。しかしながら、サブシステムへの電力供給を停止させるだけでは、メインシステムの電子部品の温度が低下しにくい。一方、メインシステムへの電力供給も停止（制限）させると（すなわち省エネルギーモードに移行すると）、当該電子部品の温度が迅速に低下する。
【０００５】
省エネルギーモードから通常モードへと復帰させるには、メインシステムへの電力供給が停止（制限）されているため、ある程度長い復帰時間を要する。つまり、当該復帰時間は、サブシステムへの電力供給だけを停止させて復帰させるときの復帰時間よりも大幅に長くなる。
【０００６】
このように、通常モードから省エネルギーモードへと移行する方が電子部品の温度を速く下げることが可能であるが、省エネルギーモードから通常モードへと復帰する場合に時間を要する。上記特許文献１において、省エネルギーモードへの移行タイミングは、半導体メモリの急激な温度低下を回避することが可能なタイミングである。つまり、印刷ジョブに基づく印刷動作が完了するまでのジョブ時間が短くなるようなタイミングで省エネルギーモードに移行するか否かについては言及されていない。したがって、上記特許文献１に記載の画像形成装置において、例えば、受信した印刷ジョブを実行することで、メインシステムの電子部品の温度が繰り返し上限温度に達する場合、当該印刷ジョブを完了するためのジョブ時間を短くすることができないという問題がある。
【０００７】
そこで、本発明の目的は、所定の印刷ジョブを完了するためのジョブ時間を短くすることが可能な画像記録装置を提供することである。
【課題を解決するための手段】
【０００８】
本発明の画像記録装置は、画像記録が行われる通常モードと、画像記録が行われず前記通常モードよりも消費電力が少ない温度保護モードと、画像記録が行われず前記温度保護モードよりも消費電力が少ないスリープモードとの間で、モード移行を行うことが可能な画像記録装置において、第１電子部品と、前記第１電子部品からの電力供給によって駆動される画像記録部を含む複数のデバイスと、前記第１電子部品に制御信号を供給する第２電子部品と、前記第２電子部品又はその近傍の温度を検出する温度センサと、前記通常モードでは、前記第１電子部品及び前記第２電子部品への電力供給を行い、前記温度保護モードでは、前記温度センサで検出された温度に基づいて、前記第２電子部品への電力供給を行いつつ前記第１電子部品への電力の供給を制限し、前記スリープモードでは、前記温度センサで検出された温度に基づいて、前記第１電子部品及び前記第２電子部品への電力の供給を制限する電力制御部とを備えている。そして、前記電力制御部は、前記複数のデバイスを駆動して画像記録を行うジョブが実行される場合に、前記通常モード及び前記スリープモードを経た後に当該ジョブが完了するまでの第１ジョブ完了時間が、前記通常モード及び前記温度保護モードを経た後に当該ジョブが完了するまでの第２ジョブ完了時間以上であるか否かを予め判定する判定処理と、前記判定処理において、前記第１ジョブ完了時間が前記第２ジョブ完了時間以上である場合、当該ジョブが完了するまでに前記通常モード又は前記温度保護モードをとるように、前記第１ジョブ完了時間が前記第２ジョブ完了時間未満の場合、当該ジョブが完了するまでに前記通常モード又は前記スリープモードをとるように、前記第１電子部品及び前記第２電子部品への電力供給を制御するモード選択処理とを実行する。
【０００９】
これによると、判定処理における、第１ジョブ完了時間と第２ジョブ完了時間との長さ比較結果に応じて、スリープモード又は温度保護モードに移行する。このため、ジョブを完了するまでのジョブ時間を短くすることが可能となる。
【００１０】
本発明において、前記電力制御部は、前記第１ジョブ完了時間が前記第２ジョブ完了時間以上である場合、前記ジョブを開始してから完了するまでの間に、前記温度センサによって検出された温度が所定の上限温度に達したときに前記温度保護モードをとるように、前記第１電子部品及び前記第２電子部品への電力供給を制御する、前記モード選択処理としての温度保護モード開始処理と、前記温度センサによって検出された温度が、前記上限温度よりも低い前記温度保護モードを解除するための温度保護モード解除温度にまで低下したときに、前記通常モードをとるように、前記第１電子部品及び前記第２電子部品への電力供給を制御する、前記モード選択処理としての温度保護モード解除処理とを実行することが好ましい。これにより、ジョブを実行しているときに、第２電子部品の温度が上限温度に達しても、温度保護モードをとることが可能となる。このため、第２電子部品が損傷するのを抑制することが可能となる。
【００１１】
また、本発明において、前記電力制御部は、前記第１ジョブ完了時間が前記第２ジョブ完了時間未満である場合、前記ジョブを開始してから完了するまでの間に、前記温度センサによって検出された温度が所定の上限温度に達したときに前記スリープモードをとるように、前記第１電子部品及び前記第２電子部品への電力供給を制御する、前記モード選択処理としてのスリープモード開始処理と、当該ジョブのうちの未実行分を実行したときに前記温度センサで検出される温度の予測上昇幅が前記判定処理において前記温度センサで検出された温度と所定の下限温度との差分以上であれば前記下限温度を、前記予測上昇幅が前記差分未満であれば前記判定処理において前記温度センサで検出された温度から前記予測上昇幅を差し引いた温度を、前記スリープモードを解除するためのスリープモード解除温度として導出するスリープモード解除温度導出処理と、前記温度センサによって検出された温度が、前記スリープモード解除温度にまで低下したときに、前記通常モードをとるように、前記第１電子部品及び前記第２電子部品への電力供給を制御する、前記モード選択処理としてのスリープモード解除処理とを実行することが好ましい。これにより、ジョブを実行しているときに、第２電子部品の温度が上限温度に達しても、スリープモードをとることが可能となる。このため、第２電子部品が損傷するのを抑制することが可能となる。
【００１２】
また、本発明において、前記判定処理は、前記温度センサで検出された温度が前記上限温度に達した時に実行されることが好ましい。これにより、ジョブを完了するためのジョブ時間を短くすることが可能となる。
【００１３】
また、本発明において、前記判定処理は、当該判定処理の対象となる一つのジョブについて、その直前のジョブの完了後であって当該一つのジョブの受信時に実行されることが好ましい。これにより、判定処理の対象となるジョブの受信時に、判定処理が実行される。このため、判定処理の対象となるジョブにおける第１ジョブ完了時間と第２ジョブ完了時間とを比較することが可能となり、信頼性が向上する。
【００１４】
また、本発明において、前記判定処理は、当該判定処理の対象となる一つのジョブについて、その直前のジョブの完了時に実行されてもよい。これは、判定処理の対象となるジョブの内容及び受信時が高い精度で予測できる場合に有効となる。
【００１５】
また、本発明において、前記判定処理においては、前記温度センサで検出された温度が、予め想定したジョブを前記直前のジョブの完了後から所定のタイミングまでに実行した場合に前記第１ジョブ完了時間が前記第２ジョブ完了時間未満となる境界を示すスリープ移行判定温度以上であるか否かを判定することで、前記第１ジョブ完了時間が前記第２ジョブ完了時間未満であるか否かを判定することが好ましい。これにより、温度センサで検出された温度がスリープ移行判定温度以上であるか否かを判定するだけで、第１ジョブ完了時間が第２ジョブ完了時間未満であるか否かを判定することが可能となる。
【００１６】
また、本発明において、前記電力制御部は、前記ジョブを開始してから完了するまでの間に少なくとも１つの前記デバイスの駆動エラーが生じた場合、前記第１電子部品から前記複数のデバイスへの電力の供給が停止される状態をとるように、前記第１電子部品への電力供給を制御するエラー処理をさらに実行し、前記判定処理は、前記デバイスの駆動エラーが生じてから前記エラー処理が終了するまでに実行されることが好ましい。これにより、デバイスの駆動エラーが生じてからエラー処理が終了するまでに、第１ジョブ完了時間と第２ジョブ完了時間とを比較することが可能となり、エラー処理が終了するまでにスリープモード又は温度保護モードに移行することが可能となる。このため、ジョブを完了するまでのジョブ時間を短くすることが可能となる。
【００１７】
また、本発明において、前記駆動エラーが生じたときに、ユーザにエラーが生じたことを報知するための報知手段をさらに備えていることが好ましい。これにより、エラーが生じていることをユーザに報知することが可能となる。
【００１８】
また、本発明において、環境温度を検出するための、前記温度センサとは別の温度センサをさらに備えており、前記電力制御部は、前記別の温度センサによって検出された環境温度に応じて、前記第１ジョブ完了時間及び前記第２ジョブ完了時間を変化させることが好ましい。これにより、環境温度に応じた第１ジョブ完了時間と第２ジョブ完了時間に基づいて、判定処理で判定することが可能となる。このため、判定精度がより向上する。
【発明の効果】
【００１９】
本発明の画像記録装置によると、判定処理における、第１ジョブ完了時間と第２ジョブ完了時間との長さ比較結果に応じて、スリープモード又は温度保護モードに移行する。このため、ジョブを完了するまでのジョブ時間を短くすることが可能となる。
【図面の簡単な説明】
【００２０】
【図１】本発明の一実施形態に係る画像記録装置としての複合機の概略構成図である。
【図２】図１に示す複合機の制御ブロック図である。
【図３】図１に示す複合機において行われる画像記録処理のフロー図である。
【図４】印刷ジョブを完了するまでのＡＳＩＣ近傍の予測温度変化を示しており、（ａ）は環境温度が所定温度よりも高い場合を示す図であり、（ｂ）は環境温度が所定温度以下の場合を示す図である。
【図５】第１変形例に係る複合機において、印刷ジョブを実行したときのＡＳＩＣ近傍の予測温度変化を示す図である。
【図６】第２変形例に係る複合機において、印刷ジョブを実行したときのＡＳＩＣ近傍の予測温度変化を示す図である。
【図７】第３変形例に係る複合機において、印刷ジョブを実行したときのＡＳＩＣ近傍の予測温度変化を示す図である。
【発明を実施するための形態】
【００２１】
以下、本発明の一実施形態に係る画像記録装置としての複合機１の全体構成について説明する。なお、以下の説明では、図１の紙面において、左側を「前方」、右側を「後方」、手前側を「右方」、奥側を「左方」、上側を「上方」、下側を「下方」という。
【００２２】
複合機１は、図１に示すように、プリンタ部１０と、スキャナユニット４０と、給送装置５０と、操作部７０とを含む。
【００２３】
プリンタ部１０は、筐体１１、収容トレイ１２、搬送機構１３、画像記録ユニット１４、受容トレイ１５、制御装置１６、温度センサ２２，２３（図２参照）、複数の用紙センサ２４（図２参照）、及び、報知ブザー２５（図２参照）を有する。収容トレイ１２は、筐体１１の下部に設けられており、搬送機構１３によって搬送される複数枚の用紙を収容可能である。受容トレイ１５は、筐体１１の上部に設けられており、搬送機構１３によって搬送された複数枚の用紙を受容可能である。筐体１１の上部には、操作部７０が設けられている。操作部７０は、受容トレイ１５よりも前方に配置されており、ユーザの操作により、スキャンジョブ及び複写ジョブなどを選択的に後述の制御装置１６に出力することが可能に構成されている。
【００２４】
筐体１１は、略直方体形状であり、収容トレイ１２、搬送機構１３、画像記録ユニット１４、制御装置１６、温度センサ２２，２３、複数の用紙センサ２４、及び、報知ブザー２５を内部に収容している。受容トレイ１５は、筐体１１の上面により構成されている。筐体１１の上部には、搬送機構１３によって搬送された用紙を受容トレイ１５に排出するための排出口１１ａが形成されている。受容トレイ１５は、排出口１１ａから排出された用紙を受容する。
【００２５】
搬送機構１３は、筐体１１の内部に形成された経路Ｒに沿って用紙を搬送するように構成されており、複数の搬送ローラ１３ａ、ガイド１３ｂ、環状の搬送ベルト１３ｃ及び複数の搬送ローラ１３ａを駆動する搬送モータ１３ｄ（図２参照）を有する。経路Ｒは、収容トレイ１２から受容トレイ１５に至る。複数の用紙センサ２４は、経路Ｒに沿って互いに離隔して配置されており、搬送されてきた用紙を検出可能に構成されている。そして、各用紙センサ２４は、搬送されてきた用紙の検出信号を制御装置１６に出力する。
【００２６】
画像記録ユニット１４は、インクジェットヘッド（画像記録部）１４ｉ及びインクタンク１４ｔを含む。インクジェットヘッド１４ｉは、インクタンク１４ｔと連通している。インクジェットヘッド１４ｉの内部には、インクタンク１４ｔから供給されたインクを貯留するリザーバと、リザーバから複数の吐出口に向けて分岐したインク流路とが形成されている。複数の吐出口は、インクジェットヘッド１４ｉの下面１４ｉｘに開口している。インクジェットヘッド１４ｉの下面１４ｉｘと搬送ベルト１３ｃの上面との間には、所定の間隙が形成されている。
【００２７】
搬送ベルト１３ｃに支持されつつ搬送される用紙に対して、インクジェットヘッド１４ｉの複数の吐出口から選択的にインクを吐出させ、用紙上にインクを着弾させる。このようにして、インクジェットヘッド１４ｉによって用紙上に画像が記録される。
【００２８】
温度センサ２２は、制御装置１６に含まれる後述のＡＳＩＣ１７近傍の温度を検出可能なように、ＡＳＩＣ１７が実装される基板（不図示）に設けられている。また、温度センサ２２は、例えば赤外線センサなどの非接触式のセンサや、抵抗温度センサ（例えばサーミスタ）などの接触式のセンサで構成されており、ＡＳＩＣ１７近傍の温度情報をＡＳＩＣ１７に出力する。また、温度センサ２３は、温度センサ２２と同様なセンサから構成されており、複合機１の環境温度を検出可能に筐体１１に設けられている。温度センサ２３も、検出した環境温度情報をＡＳＩＣ１７に出力する。報知ブザー（報知手段）２５は、制御装置１６の制御によってユーザにエラーが生じていることを知らせることが可能なように、筐体１１に設けられている。
【００２９】
スキャナユニット４０は、原稿に記録された画像を読み取るための画像読み取り部（不図示）を有している。スキャナユニット４０は、筐体１１の上面に配置された支持体４１によって支持されている。また、スキャナユニット４０は、軸４０ａを中心として開閉可能なカバー４０ｂを有する。
【００３０】
カバー４０ｂには、給送装置５０が設けられている。給送装置５０は、カバー４０ｂの上面に構成された支持面４０ｂ１に載置された用紙をスキャナユニット４０の画像読み取り部へ給送するものである。
【００３１】
制御装置１６は、プリンタ部１０のみならず複合機１全体を制御するものであり、図２に示すように、ＣＰＵ（Central Processing Unit）１６ａ、ＲＯＭ（Read Only Memory）１６ｂ、ＲＡＭ（Random Access Memory）１６ｃ、ＥＥＰＲＯＭ（Electrically Erasable and Programmable Read Only Memory）１６ｄ、電源部１６ｅ、ＡＳＩＣ（Application Specific Integrated Circuit）１７、ＩＣ（Integrated Circuit）１８等を含み、例えば、複合機１に接続されたＰＣ（Personal Computer）などの外部装置２１や操作部７０からのジョブ（指令）に基づいて複合機１の各部の制御を行う。
【００３２】
ＲＯＭ１６ｂには、ＣＰＵ１６ａが実行するプログラム、各種固定データ等が記憶されている。ＲＡＭ１６ｃには、プログラム実行時に必要なデータ（画像データ等）が一時的に記憶される。ＥＥＰＲＯＭ１６ｄには、ＡＳＩＣ１７近傍の上限温度ｔ１、上限温度ｔ１よりも低い後述のスリープモード及び温度保護モードの解除温度ｔ２、環境温度及びジョブの内容に応じて画像記録動作を実行した際のＡＳＩＣ１７近傍の温度が上昇する予測上昇幅、後述の各モード（通常モードでの待機時、温度保護モード、及び、スリープモード）での環境温度に応じた温度下降幅などの温度情報が記憶されている。
【００３３】
上限温度ｔ１は、ＡＳＩＣ１７の温度が上昇しすぎて動作不良が生じるのを防ぐための上限値である。なお、処理動作には、画像記録処理、スキャン処理、複写処理などが含まれる。画像記録処理は、入出力Ｉ／Ｆ（Interface）１９を介して、外部装置２１から受信した印刷ジョブに基づいて、１以上の用紙を搬送し当該搬送された用紙に画像を記録するための処理である。スキャン処理は、操作部７０から出力されたスキャンジョブに基づいて、給送装置５０で送られる原稿に記録された画像をスキャナユニット４０で読み取る処理である。複写処理は、操作部７０から出力された複写ジョブに基づいて、給送装置５０で送られる原稿に記録された画像をスキャナユニット４０で読み取り、プリンタ部１０でその読み取った画像データに基づいて用紙に画像を記録する処理である。電源部１６ｅは、入力されるＡＣ電源をＤＣ電源に変換して出力する回路であり、後述の電力制御回路１７ｅの制御により、ＡＳＩＣ１７及びＩＣ１８に選択的に所定のＤＣ電源を供給する。
【００３４】
ＡＳＩＣ１７は、ヘッド制御回路１７ａ、搬送制御回路１７ｂ、スキャナ制御回路１７ｃ、複写制御回路１７ｄ、電力制御回路１７ｅ、及び、エラー検知回路１７ｆを含む。また、ＡＳＩＣ１７は、入出力Ｉ／Ｆ１９を介して、外部装置２１などとデータ通信可能に接続されている。ＩＣ１８は、ＡＳＩＣ１７から出力される制御信号による制御のもとで、搬送モータ１３ｄ、インクジェットヘッド１４ｉ、スキャナユニット４０、及び、給送装置５０に電力を供給し駆動制御する複合ＩＣである（以下、ＩＣ１８を複合ＩＣ１８と称することがある）。
【００３５】
ヘッド制御回路１７ａは、受信した印刷ジョブ（画像データ）に基づいて、複合ＩＣ１８を介してインクジェットヘッド１４ｉを制御する。搬送制御回路１７ｂは、受信した印刷ジョブに基づいて、複合ＩＣ１８を介して搬送モータ１３ｄを制御する。スキャナ制御回路１７ｃは、スキャンジョブに基づいて、複合ＩＣ１８を介して給送装置５０及びスキャナユニット４０を制御する。複写制御回路１７ｄは、複写ジョブに基づいて、複合ＩＣ１８を介して給送装置５０、搬送モータ１３ｄ、インクジェットヘッド１４ｉを制御する。エラー検知回路１７ｆは、用紙搬送時に、各用紙センサ２４からの検出信号を所定時間内に受信しない場合、搬送不良が生じていると判定し、報知ブザー２５を制御して、ユーザに搬送不良（エラ−）が生じていることを所定時間の間、報知する。
【００３６】
電力制御回路（電力制御部）１７ｅは、後述する所定のタイミングで、ＡＳＩＣ１７及び複合ＩＣ１８に対する電源部１６ｅから電力供給が互いに異なる３つのモード（通常モード、温度保護モード、及び、スリープモード）のいずれかを選択的にとることが可能に構成されている。電力制御回路１７ｅは、通常モードにおいては、ＡＳＩＣ１７及び複合ＩＣ１８に電力が供給されるように、電源部１６ｅを制御する。また、電力制御回路１７ｅは、温度保護モードにおいては、温度センサ２２で検出された温度に基づいて、ＡＳＩＣ１７への電力供給を行いつつも複合ＩＣ１８への電力供給が制限されるように、電源部１６ｅを制御する。このように複合ＩＣ１８への電力供給が制限されることで、複合ＩＣ１８から搬送モータ１３ｄ、インクジェットヘッド１４ｉ、スキャナユニット４０、及び、給送装置５０への電力供給が停止される。また、電力制御回路１７ｅは、スリープモードにおいては、温度センサ２２で検出された温度に基づいて、ＡＳＩＣ１７及び複合ＩＣ１８への電力供給が制限されるように、電源部１６ｅを制御する。本実施形態におけるＡＳＩＣ１７及び複合ＩＣ１８への電力供給の制限とは、ＡＳＩＣ１７及び複合ＩＣ１８へ通常供給される電力よりも少ない電力を供給する状態であるが、電力供給自体を停止してもよい。つまり、電力供給の制限は電力供給自体を停止する状態も含む。
【００３７】
続いて、複合機１において画像記録が行われる画像記録処理について、図３及び図４を参照しつつ以下に説明する。なお、複写処理についても画像記録が実行される。この場合においては、原稿から読み取った画像データに基づいて、後述のステップＳ２以降の処理が同様に実行されるため、詳細の説明を省略する。
【００３８】
まず、ステップＳ１において、外部装置２１から印刷ジョブを受信したか否かを判定し、印刷ジョブを受信した場合（Ｙｅｓ）、ステップＳ２に進み、印刷ジョブを受信しない場合（ＮＯ）、そのままステップＳ１を繰り返す。
【００３９】
次に、ステップＳ２においては、ヘッド制御回路１７ａ及び搬送制御回路１７ｂが、印刷ジョブに基づいて、複合ＩＣ１８を介して搬送モータ１３ｄ及びインクジェットヘッド１４ｉを制御し、用紙を搬送しつつ用紙に画像を記録する。なお、本実施形態においては、印刷ジョブ受信時にスリープモードをとる場合は、電力制御回路１７ｅは、電力供給状態をスリープモードから通常モードとなるように、電源部１６ｅを制御し、その後、画像記録動作が開始される。
【００４０】
次に、ステップＳ３においては、制御装置１６が、印刷ジョブに基づく画像記録を実行している際に、温度センサ２２によって検出された温度が上限温度ｔ１に達した否かを判定し、上限温度ｔ１に達していない場合（ＮＯ）、ステップＳ４に進み、上限温度ｔ１に達した場合（ＹＥＳ）、ステップＳ５に進む。ステップＳ４において、制御装置１６は、印刷ジョブに基づく画像記録処理が終了したか否かを判定し、終了していない場合（ＮＯ）、ステップＳ３に戻り、終了した場合（ＹＥＳ）、フローが終了する。こうして、画像記録処理が終了する。
【００４１】
ステップＳ５においては、ヘッド制御回路１７ａ及び搬送制御回路１７ｂが、複合ＩＣ１８を介して搬送モータ１３ｄ及びインクジェットヘッド１４ｉを制御し、用紙の搬送を停止すると共に用紙への画像記録も停止する。要するに、画像記録処理を停止する。このときの画像記録処理の停止は、１枚の用紙に対する印刷が終了してから停止する。
【００４２】
次に、ステップＳ６においては、電力制御回路１７ｅが、印刷ジョブの未実行分を実行する場合に通常モード及びスリープモードを経た後に当該印刷ジョブが完了するまでの第１ジョブ完了時間Ｈ１が、通常モード及び温度保護モードを経た後に当該印刷ジョブが完了するまでの第２ジョブ完了時間Ｈ２以上であるか否かを判定する（判定処理）。
【００４３】
ここで、第１ジョブ完了時間Ｈ１及び第２ジョブ完了時間Ｈ２の比較について説明する。図４は、印刷ジョブを完了するまでのＡＳＩＣ１７近傍の予測温度変化を示しており、（ａ）は環境温度が所定温度（例えば、２０°）よりも高い場合を示す図であり、（ｂ）は環境温度が所定温度以下の場合を示す図である。また、図４中に示す二点鎖線は、ＡＳＩＣ１７近傍の温度が上限温度ｔ１に達してから温度保護モードをとることがあるときの予測温度変化を示しており、図４中に示す実線は、ＡＳＩＣ１７近傍の温度が上限温度ｔ１に達してからスリープモードをとることがあるときの予測温度変化を示す。図４に示す予測温度変化は、電力制御回路１７ｅが、温度センサ２２，２３で検出された温度、印刷ジョブの内容、及びＥＥＰＲＯＭ１６ｄに記憶された温度情報に基づいて予測する。
【００４４】
温度センサ２３によって検出された環境温度が所定温度（例えば、２０°）よりも高い場合、図４（ａ）中二点鎖線で示すように、通常モードで印刷が行われることで上限温度ｔ１に達する時刻ｍ１から温度保護モードにしても、ＡＳＩＣ１７近傍の温度が下がりにくいため、当該温度が上限温度ｔ１から解除温度ｔ２まで低下するのに時間を要する。一方、図４（ａ）中実線で示すように、時刻ｍ１からスリープモードにした場合、ＡＳＩＣ１７への電力供給が制限されるため、ＡＳＩＣ１７近傍の温度が比較的短時間で上限温度ｔ１から解除温度ｔ２にまで下がる。
【００４５】
また、温度センサ２３によって検出された環境温度が所定温度（例えば、２０°）以下の場合、図４（ｂ）中二点鎖線で示すように、時刻ｍ１から温度保護モードにした場合でも、環境温度が比較的低いため、ＡＳＩＣ１７近傍の温度が比較的短時間で上限温度ｔ１から解除温度ｔ２にまで下がる。なお、図４（ｂ）中実線で示すように、時刻ｍ１からスリープモードにした場合、上述と同様に、ＡＳＩＣ１７近傍の温度が比較的短時間で上限温度ｔ１から解除温度ｔ２にまで下がる。
【００４６】
なお、スリープモードは、温度保護モードに比べて、ＡＳＩＣ１７の温度が低下しやすいが、通常モードに復帰するためには解除温度ｔ２に到達した時刻ｍ２から所定の復帰時間Ｈ３を要する。つまり、第１ジョブ完了時間Ｈ１は、図４に示すように、通常モードからスリープモードに移行してからＡＳＩＣ１７近傍の温度が上限温度ｔ１から解除温度ｔ２まで下がるのに要する時間Ｈ４と、復帰時間Ｈ３と、復帰時間Ｈ３が経過した時刻ｍ３から印刷ジョブの未実行部分の画像記録に要する時間Ｈ５とを足し合わせた時間となる。要するに時間Ｈ１は、時刻ｍ１から時刻ｍ４までの時間である。一方、第２ジョブ完了時間Ｈ２は、通常モードから温度保護モードに移行してからＡＳＩＣ１７近傍の温度が上限温度ｔ１から解除温度ｔ２まで下がるのに要する時間Ｈ６と、解除温度ｔ２に到達した時刻ｍ５からの印刷ジョブの未実行部分の画像記録に要する時間Ｈ７とを足し合わせた時間となる。要するに時間Ｈ２は、時刻ｍ１から時刻ｍ６までの時間である。
【００４７】
また、図４においては、時刻ｍ４，ｍ６以降においては、通常モードのまま、待機状態となり、所定時間経過後に、スリープモードをとる状態を示している。つまり、時刻ｍ４，ｍ６以降においては、画像記録動作が行われていないので、温度センサ２２によって検出されるＡＳＩＣ１７近傍の温度が徐々に低下していく。そして、電力制御回路１７ｅが、時刻ｍ４，ｍ６から所定時間経過後、通常モードからスリープモードに移行するように、電源部１６ｅを制御することで、ＡＳＩＣ１７近傍の温度がさらに急激に低下していく。
【００４８】
本実施形態においては、温度保護モード及びスリープモードをそれぞれとるときの、温度センサ２３によって検出される環境温度に応じた、温度センサ２２によって検出されるＡＳＩＣ１７近傍の温度が上限温度ｔ１から解除温度ｔ２まで下がるのに要する時間Ｈ４，Ｈ６も、予めＥＥＰＲＯＭ１６ｄに記憶されている。また、復帰時間Ｈ３もＥＥＰＲＯＭ１６ｄに予め記憶されている。第１ジョブ完了時間Ｈ１及び第２ジョブ完了時間Ｈ２の印刷ジョブの未実行部分の画像記録に要する時間Ｈ５，Ｈ７は互いに同じ時間となる。このため、電力制御回路１７ｅは、温度センサ２２，２３によって検出された温度に基づいて、第１ジョブ完了時間Ｈ１としての時間Ｈ４と時間Ｈ３とを足した時間と、第２ジョブ完了時間Ｈ２としての時間Ｈ６とを比較して、いずれが大きいか又は同じであるかを判定する。
【００４９】
本実施形態においては、印刷ジョブの未実行部分の画像記録動作は、ＡＳＩＣ１７近傍の温度を解除温度ｔ２まで一旦下げてから画像記録動作を行うと、ＡＳＩＣ１７近傍の温度が上限温度ｔ１に達する前に画像記録動作が終了しているが、印刷ジョブの未実行部分が多い場合は、当該画像記録動作が終了する前に再度、上限温度ｔ１に達することがある。この場合、再度、ＡＳＩＣ１７近傍の温度を解除温度ｔ２まで下げてから画像記録動作を行い、画像記録動作が完了するまでの時間を比較すればよい。つまり、本実施形態においては、印刷ジョブに基づいて画像記録動作が完了するまでに、１以上のスリープモードをとるときと、１以上の温度保護モードをとるときとでの各完了時間を予測して、判定する。
【００５０】
ステップＳ６において、第１ジョブ完了時間Ｈ１が第２ジョブ完了時間Ｈ２以上である場合（ＹＥＳ）、ステップＳ７に進み、時間Ｈ１が時間Ｈ２未満の場合（ＮＯ）、ステップＳ８に進む。ステップＳ７においては、電力制御回路１７ｅが、温度保護モードをとるように、電源部１６ｅを制御する（温度保護モード開始処理）。つまり、通常モードから温度保護モードに移行するモード選択処理を実行する。また、ステップＳ８においては、電力制御回路１７ｅが、スリープモードをとるように、電源部１６ｅを制御する（スリープモード開始処理）。つまり、通常モードからスリープモードに移行するモード選択処理を実行する。
【００５１】
次に、ステップＳ９において、電力制御回路１７ｅは、温度センサ２２によって検出された温度が解除温度ｔ２に達したか否かを判定し、達していない場合（ＮＯ）、ステップＳ９を繰り返し、達した場合（ＹＥＳ）、ステップＳ１０に進む。
【００５２】
上述のステップＳ９においては、電力制御回路１７ｅが、温度センサ２２によって検出された温度が解除温度ｔ２に達したか否かを判定しているが、変形例として、図４（ａ）に示すように、ステップＳ６からステップＳ８を経由する場合（スリープモード開始処理後）の解除温度ｔ３を導出し、その導出した解除温度ｔ３に到達したか否かを判定してもよい。このときは、印刷ジョブのうちの未実行分を連続的に実行したときに温度センサ２２で検出される温度の予測上昇幅が判定処理において温度センサ２２で検出された温度（ここでは上限温度ｔ１）と大気温度（所定の下限温度）ｔ０との差分以上であれば当該大気温度ｔ０を解除温度ｔ３とし、図４（ａ）中破線で示すように予測上昇幅が前記差分未満であれば判定処理において温度センサ２２で検出された温度から予測上昇幅を差し引いた温度を解除温度ｔ３とすればよい（スリープ解除温度導出処理）。解除温度ｔ３は、大気温度ｔ０もしくは温度センサ２２で検出された温度〜大気温度ｔ０間に存在する。こうすれば、印刷ジョブの未実行部分の画像記録動作が解除温度ｔ２から再開したときに、再度、上限温度ｔ１に到達するほどのものであっても、解除温度ｔ３が解除温度ｔ２よりも低くなるので未実行部分の画像記録動作を実行する際の温度が上限温度ｔ１に達しにくくなる。また、印刷ジョブの未実行部分の画像記録動作が解除温度ｔ２から再開したときに、温度がほとんど上昇しない程度で画像記録動作が終了するようなものであっても、解除温度ｔ３が解除温度ｔ２よりも高くなるので未実行部分の画像記録動作を再開するまでの時間が早くなる。この結果、印刷ジョブに係る画像記録動作が完了するまでの時間が短くなる。
【００５３】
ステップＳ１０においては、電力制御回路１７ｅが、通常モードをとるように、電源部１６ｅを制御する（温度保護モード解除処理、スリープモード解除処理）。つまり、温度保護モード又はスリープモードから通常モードに移行するモード選択処理を実行する。
【００５４】
次に、ステップＳ１１において、ヘッド制御回路１７ａ及び搬送制御回路１７ｂが、印刷ジョブの未実行分に基づいて、複合ＩＣ１８を介して搬送モータ１３ｄ及びインクジェットヘッド１４ｉを制御し、停止されていた画像記録を再開する。
【００５５】
次に、ステップＳ１２において、電力制御部１７ｅが、印刷ジョブの未実行分に基づく画像記録を実行している際に、温度センサ２２によって検出された温度が上限温度ｔ１に達した否かを判定し、上限温度ｔ１に達していない場合（ＮＯ）、ステップＳ１４に進み、上限温度ｔ１に達した場合（ＹＥＳ）、ステップＳ１３に進む。ステップＳ１３においては、上述のステップＳ５と同様に、ヘッド制御回路１７ａ及び搬送制御回路１７ｂが、画像記録処理を停止する。このとき、電力制御部１７ｅが、ステップＳ６で選択されたモードと同じモードをとるように、電源部１６ｅを制御し、ステップＳ９に戻る。
【００５６】
ステップＳ１４において、制御装置１６は、印刷ジョブに基づく画像記録処理が終了したか否かを判定し、終了していない場合（ＮＯ）、ステップＳ１２に戻り、終了した場合（ＹＥＳ）、フローが終了する。こうして、画像記録処理が終了する。
【００５７】
以上に述べたように、本実施形態の複合機１によると、判定処理（ステップＳ６）における、第１ジョブ完了時間Ｈ１と第２ジョブ完了時間Ｈ２との長さ比較結果に応じて、スリープモード又は温度保護モードに移行する。このため、印刷ジョブを完了するまでのジョブ時間を短くすることが可能となる。
【００５８】
また、第１ジョブ完了時間Ｈ１が第２ジョブ完了時間Ｈ２以上である場合、ＡＳＩＣ１７の温度が上限温度ｔ１に達しても、温度保護モードをとることが可能となる。このため、ＡＳＩＣ１７が損傷するのを抑制することが可能となる。
【００５９】
また、第１ジョブ完了時間Ｈ１が第２ジョブ完了時間Ｈ２未満である場合、ＡＳＩＣ１７の温度が上限温度ｔ１に達しても、スリープモードをとることが可能となる。このため、ＡＳＩＣ１７が損傷するのを抑制することが可能となる。
【００６０】
また、Ｓ６の判定処理が、温度センサ２２で検出された温度が上限温度ｔ１に達した時に実行されるため、印刷ジョブを完了するためのジョブ時間を短くすることが可能となる。
【００６１】
また、電力制御回路１７ｅは、温度センサ２３によって検出された環境温度に応じて、図４に示すように、第１ジョブ完了時間Ｈ１及び第２ジョブ完了時間Ｈ２を変化させて比較する。つまり、環境温度が、所定温度（例えば、２０°）よりも高い場合、図４（ａ）に示すように、温度保護モードにしてもＡＳＩＣ１７近傍の温度が下がりにくいため、当該温度が上限温度ｔ１から解除温度ｔ２まで低下するのに時間を要する。一方、環境温度が、所定温度以下の場合、温度保護モードにした場合でも環境温度が比較的低いため、ＡＳＩＣ１７近傍の温度が比較的短時間で上限温度ｔ１から解除温度ｔ２にまで下がる。なお、スリープモードにおいても温度保護モードと同様に、環境温度の変化に応じてＡＳＩＣ１７近傍の温度低下に多少差が生じるが、スリープモードにおいては、ＡＳＩＣ１７への電力供給が制限されるため、ＡＳＩＣ１７近傍の温度が比較的短時間で上限温度ｔ１から解除温度ｔ２にまで下がる。このような環境温度に応じた温度変化に対応する、第１ジョブ完了時間Ｈ１及び第２ジョブ完了時間Ｈ２を比較する。このため、環境温度に応じた第１ジョブ完了時間Ｈ１と第２ジョブ完了時間Ｈ２に基づいて、ステップＳ６の判定処理で判定することが可能となる。このため、判定精度がより向上する。
【００６２】
続いて、第１ジョブ完了時間が第２ジョブ完了時間以上であるか否かを判定する判定処理のタイミングが、上述の実施形態と異なる、第１変形例について、図５を参照しつつ以下に説明する。本変形例における判定処理は、図５に示すように、判定処理の対象となる印刷ジョブの直前の印刷ジョブの完了時（時刻ｎ１）の後であって当該対象となる印刷ジョブの受信時（時刻ｎ２）に実行され、判定処理の対象となる印刷ジョブに基づく第１ジョブ完了時間Ｊ１と第２ジョブ完了時間Ｊ２とが比較される。
【００６３】
図５は、受信した印刷ジョブを実行したときのＡＳＩＣ１７近傍の予測温度変化を示す図である。図５中二点鎖線で示す温度変化は、印刷ジョブを受信した時刻ｎ２から当該印刷ジョブが完了する時刻ｎ８までの間に温度保護モードをとる場合であり、図５中実線で示す温度変化は、印刷ジョブを受信した時刻ｎ２から当該印刷ジョブが完了する時刻ｎ５までの間にスリープモードをとる場合である。なお、図５においても、上述の実施形態と同様に、時刻ｎ５，ｎ８以降においては、所定時間の間、待機状態をとり、その後、スリープモードをとる状態を示している。
【００６４】
本変形例において、電力制御回路１７ｅは、判定処理の対象となる印刷ジョブの直前の印刷ジョブの完了時（時刻ｎ１）の後であって判定処理の対象となる印刷ジョブを受信したとき（時刻ｎ２）に当該印刷ジョブ及び温度センサ２２で検出された温度に基づいて、図５に示すように、スリープモードをとる場合と温度保護モードをとる場合とでの温度変化を予測する。このとき、スリープモードをとる場合においては、受信した印刷ジョブを連続的に実行したときに温度センサ２２で検出される温度の予測上昇幅が判定処理において温度センサ２２で検出された温度（ここでは印刷ジョブの受信時の温度ｔ４）と大気温度（所定の下限温度）との差分以上であれば当該大気温度をそのスリープモードを解除するための解除温度ｔ３とし、予測上昇幅が前記差分未満であれば判定処理において温度センサ２２で検出された温度ｔ４から予測上昇幅を差し引いた温度を解除温度ｔ３とする。本変形例においては、予測上昇幅が差分未満であるとして、図５中に示す。こうすれば、上述と同様に、印刷ジョブに係る画像記録動作が完了するまでの時間が短くなる。
【００６５】
一方、図５に示すように、温度保護モードをとる場合、温度センサ２２によって検出されるＡＳＩＣ１７近傍の温度が下がりにくいため、当該温度が上限温度ｔ１から解除温度ｔ２まで下がるために要する時間Ｊ６（時刻ｎ６から時刻ｎ７までの時間）が比較的長くなる。一方、スリープモードをとる場合、温度センサ２２によって検出されるＡＳＩＣ１７近傍の温度が比較的短時間で下がり、このときの温度ｔ４から解除温度ｔ３まで下がるのに要する時間Ｊ４（時刻ｎ２から時刻ｎ３までの時間）と復帰時間Ｊ３（時刻ｎ３から時刻ｎ４までの時間）とを足し合わせた時間（時刻ｎ２から時刻ｎ４までの時間）が、時間Ｊ６よりも小さくなる。なお、温度保護モードをとる場合での画像記録動作中の時間Ｊ７ａ（時刻ｎ２から時刻ｎ６までの時間）と、時間Ｊ７ｂ（時刻ｎ７から時刻ｎ８までの時間）との合計時間と、スリープモードをとる場合での画像記録動作中の時間Ｊ５（時刻ｎ４から時刻ｎ５までの時間）とが互いに同じとなる。このため、電力制御回路１７ｅは、温度センサ２２によって検出された温度に基づいて、第１ジョブ完了時間Ｊ１としての時間Ｊ４と時間Ｊ３とを足した時間（時刻ｎ２から時刻ｎ４までの時間）と、第２ジョブ完了時間Ｊ２としての時間Ｊ６とを比較して、いずれが大きいか又は同じであるかを判定する。
【００６６】
この判定処理後、電力制御回路１７ｅは、第１ジョブ完了時間Ｊ１が第２ジョブ完了時間Ｊ２未満である場合は、通常モードからスリープモードに移行し、温度センサ２２によって検出されるＡＳＩＣ１７近傍の温度が解除温度ｔ３に到達したらスリープモードから通常モードに移行して、時刻ｎ４から当該印刷ジョブの画像記録動作を開始する。その後、上述のステップＳ１２以降の処理と同様の処理が実行される。
【００６７】
一方、電力制御回路１７ｅは、第１ジョブ完了時間Ｊ１が第２ジョブ完了時間Ｊ２以上である場合は、通常モードを保持する。そして、ヘッド制御回路１７ａ及び搬送制御回路１７ｂが、印刷ジョブに基づいて、複合ＩＣ１８を介して搬送モータ１３ｄ及びインクジェットヘッド１４ｉを制御し、画像記録を開始する。その後、電力制御部１７ｅは、温度センサ２２によって検出されるＡＳＩＣ１７近傍の温度が上限温度ｔ１に達したときに、温度保護モードをとるように、電源部１６ｅを制御する。この後、上述のステップＳ９以降の処理と同様の処理が実行される。こうして、画像記録処理が終了する。
【００６８】
このような第１変形例によると、判定処理の対象となる印刷ジョブの受信時に、判定処理が実行される。このため、判定処理の対象となる印刷ジョブにおける第１ジョブ完了時間Ｊ１と第２ジョブ完了時間Ｊ２とを比較することが可能となり、信頼性が向上する。
【００６９】
続いて、第２変形例について、図６を参照しつつ以下に説明する。図６は、印刷ジョブを実行したときのＡＳＩＣ１７近傍の予測温度変化を示す図である。図６中二点鎖線で示す温度変化は、判定対象となる印刷ジョブが完了する時刻ｏ７までの間に温度保護モードをとる場合であり、図６中実線で示す温度変化は、判定対象となる印刷ジョブが完了する時刻ｏ４までの間にスリープモードをとる場合である。なお、図６においても、上述と同様に、時刻ｏ４，ｏ７以降においては、所定時間の間、待機状態をとり、その後、スリープモードをとる状態を示している。
【００７０】
本変形例における判定処理は、図６に示すように、判定処理の対象となる印刷ジョブの直前の印刷ジョブの画像記録動作が完了した時刻ｏ１に実行される。本変形例においては、予め想定した印刷ジョブを時刻ｏ１から所定時間経過するまで（所定のタイミングまで）に実行した場合に、第１ジョブ完了時間Ｋ１が第２ジョブ完了時間Ｋ２未満となる境界を示すスリープ移行判定温度ｔ５をＥＥＰＲＯＭ１６ｄが記憶している。そして、電力制御回路１７ｅが、時刻ｏ１に温度センサ２２で検出される温度ｔ４が、スリープ移行判定温度ｔ５以上であるか否かを判定することで、第１ジョブ完了時間Ｋ２が第２ジョブ完了時間Ｋ２未満であるか否かを判定する。
【００７１】
判定時（時刻ｏ１）の温度ｔ４が、図６に示すように、スリープ移行判定温度ｔ５以上であると、電力制御回路１７ｅが、通常モードからスリープモードに移行させるように、電源部１６ｅを制御する。この場合、図６に示すように、判定対象となる印刷ジョブを受信する時刻ｏ２までの時間Ｋ４、ＡＳＩＣ１７近傍の温度が比較的短時間で下がる。判定処理の対象となる印刷ジョブを受信すると（時刻ｏ２）、電力制御回路１７ｅが、スリープモードから通常モードに移行させるように、電源部１６ｅを制御する。このとき、時刻ｏ２から時刻ｏ３までの復帰時間Ｋ３を要する。その後、ヘッド制御回路１７ａ及び搬送制御回路１７ｂが、印刷ジョブに基づいて、複合ＩＣ１８を介して搬送モータ１３ｄ及びインクジェットヘッド１４ｉを制御し、画像記録を開始する。画像記録は、時刻ｏ３から時刻ｏ４までの時間Ｋ５、行われる。
【００７２】
ここで、判定時（時刻ｏ１）の温度が、スリープ移行判定温度ｔ５以上であるにもかかわらず、温度保護モードに移行させる場合を考える。この場合、電力制御回路１７ｅが、通常モードのまま待機する。そして、判定処理の対象となる印刷ジョブを受信する時刻ｏ２までの時間Ｋ７、ＡＳＩＣ１７近傍の温度が徐々に下がる。当該印刷ジョブを受信すると（時刻ｏ２）、ヘッド制御回路１７ａ及び搬送制御回路１７ｂが、印刷ジョブに基づいて、複合ＩＣ１８を介して搬送モータ１３ｄ及びインクジェットヘッド１４ｉを制御し、画像記録を開始する。この後、温度センサ２２によって検出される温度が上限温度ｔ１に達するまで（時刻ｏ５）の時間Ｋ８ａ、画像記録動作が行われる。温度が上限温度ｔ１に達すると、電力制御部１７ｅが、通常モードから温度保護モードに移行させるように、電源部１６ｅを制御する。このとき、ヘッド制御回路１７ａ及び搬送制御回路１７ｂは、複合ＩＣ１８を介して搬送モータ１３ｄ及びインクジェットヘッド１４ｉを制御し、画像記録を停止する。
【００７３】
電力制御回路１７ｅは、温度センサ２２によって検出される温度が解除温度ｔ２に達したとき（時刻ｏ６）に、温度保護モードから通常モードに移行するように、電源部１６ｅを制御する。温度保護モードをとる場合、温度センサ２２によって検出されるＡＳＩＣ１７近傍の温度が下がりにくいため、当該温度が上限温度ｔ１から解除温度ｔ２まで下がるために要する時間Ｋ６（時刻ｏ５から時刻ｏ６までの時間）が比較的長くなる。そして、ヘッド制御回路１７ａ及び搬送制御回路１７ｂが、印刷ジョブの未実行部分に基づいて、複合ＩＣ１８を介して搬送モータ１３ｄ及びインクジェットヘッド１４ｉを制御し、画像記録を再開する。画像記録は、時刻ｏ６から時刻ｏ７までの時間Ｋ８ｂ、行われる。
【００７４】
このような時間Ｋ６，Ｋ７，Ｋ８ａ，Ｋ８ｂからなる第２ジョブ完了時間Ｋ２は、図６に示すように、時間Ｋ３〜Ｋ５からなる第１ジョブ完了時間Ｋ１よりも大きくなる。このように、判定処理において、温度センサ２２によって検出された温度が予め想定した印刷ジョブに基づくスリープ移行判定温度以上である場合、通常モードからスリープモードに移行することで、受信した印刷ジョブによっては当該印刷ジョブが完了するまでの時間を短くすることが可能となる。これは、判定処理の対象となる印刷ジョブの直前の印刷ジョブの完了時から当該判定処理の対象となる印刷ジョブの受信のタイミングが予め想定範囲内である場合、及び、当該判定処理の対象となる印刷ジョブの内容が、予め想定した印刷ジョブの内容に近い場合に、特に有効となる。これら受信タイミングや想定した印刷ジョブは、ユーザの印刷ジョブの使用履歴に基づいて導出したものを用いることが望ましい。なお、詳細の説明は省略するが、判定処理において、温度センサ２２によって検出された温度がスリープ移行判定温度未満である場合は、画像記録動作しているときに温度センサ２２によって検出されたＡＳＩＣ１７近傍の温度が上限温度ｔ１に達した場合、通常モードから温度保護モードに移行することで、判定対象の印刷ジョブが完了するまでの時間を短くすることが可能となる。
【００７５】
このような第２変形例によると、判定処理の対象となる印刷ジョブの直前の印刷ジョブの完了時（時刻ｏ１）に判定処理が実行される。このため、判定処理の対象となる印刷ジョブの内容及び受信時が高い精度で予測できる場合に有効となる。
【００７６】
また、温度センサ２２で検出された温度ｔ４がスリープ移行判定温度ｔ５以上であるか否かを判定するだけで、第１ジョブ完了時間Ｋ１が第２ジョブ完了時間Ｋ２未満であるか否かを判定することが可能となる。
【００７７】
本変形例においては、判定処理において、温度センサ２２で検出された温度ｔ４が、スリープ移行判定温度ｔ５以上であるか否かを判定しているが、特にスリープ移行判定温度ｔ５を記憶していなくてもよい。この場合、想定した印刷ジョブ内容、及び、印刷ジョブの内容を実行するタイミング（判定処理の対象となる印刷ジョブの直前の印刷ジョブが完了後から所定のタイミング）をＥＥＰＲＯＭ１６ｄに記憶させておき、判定処理において、所定タイミングの範囲で想定した印刷ジョブを実行する場合の、第１ジョブ完了時間が第２ジョブ完了時間以上であるか否かを判定すればよい。これにおいても、上述の第２変形例と同様の効果を得ることができる。
【００７８】
続いて、第３変形例について、図７を参照しつつ以下に説明する。図７は、印刷ジョブを実行したときのＡＳＩＣ１７近傍の予測温度変化を示す図である。図７中二点鎖線で示す温度変化は、印刷ジョブが完了する時刻ｐ８までの間に温度保護モードをとる場合であり、図７中実線で示す温度変化は、印刷ジョブが完了する時刻ｐ５までの間にスリープモードをとる場合である。なお、図７においても、上述と同様に、時刻ｐ５，ｐ８以降においては、所定時間の間、待機状態をとり、その後、スリープモードをとる状態を示している。
【００７９】
本変形例における判定処理は、図７に示すように、印刷ジョブに基づく画像記録動作中にエラーが発生した時刻ｐ１から、当該エラーに関するエラー処理が終了する時刻ｐ３までの間の時刻ｐ２に実行される。エラー検知回路１７ｆは、印刷ジョブに基づく画像記録動作中において、例えば、搬送モータ１３ｄに駆動エラーが生じ、各用紙センサ２４から用紙を検出する検出信号を所定時間内に受信しない場合、搬送不良が生じていると判定する。そして、エラー検知回路１７ｆは、報知ブザー２５を制御して、ユーザに搬送不良（エラ−）が生じていることを所定時間（時刻ｐ１〜時刻ｐ２）の間、報知する。このとき、電力制御回路１７ｅは、エラー検知回路１７ｆによってエラーが検知されると、複合ＩＣ１８への電力供給を制限するように、電源部１６ｅを制御する（エラー処理）。つまり、電源部１６ｅから複合ＩＣ１８への電力供給が制限された状態（複合ＩＣ１８から搬送モータ１３ｄ、インクジェットヘッド１４ｉ、スキャナユニット４０、及び、給送装置５０などの複数のデバイスへの電力供給が停止された状態）となり、温度保護モードをとるときの状態と同様となる。電力制御回路１７ｅは、エラーの発生した時刻ｐ１からエラーが報知される所定時間が経過した時刻ｐ２において、印刷ジョブの未実行部分に基づく第１ジョブ完了時間Ｌ１が第２ジョブ完了時間Ｌ２以上であるか否かを判定する（判定処理）。このとき、図７に示す予測温度変化は、電力制御回路１７ｅが、温度センサ２２，２３で検出された温度、印刷ジョブの未実行部分の内容、及びＥＥＰＲＯＭ１６ｄに記憶された温度情報に基づいて予測する。なお、第１ジョブ完了時間Ｌ１と第２ジョブ完了時間Ｌ２は、時刻ｐ２からユーザがエラー解除を行うことの多い解除時間が経過した時刻ｐ３までに、ユーザによってエラー解除が行われた後、印刷ジョブの未実行部分に基づく画像記録動作が再開されるという前提に基づいて比較される。
【００８０】
スリープモードをとる場合（第１ジョブ完了時間Ｌ１）は、時刻ｐ２からエラー解除される時刻ｐ３までスリープモードに保持される。なお、本変形例においては、時刻ｐ３に到達するまでのスリープモード中にＡＳＩＣ１７近傍の温度が大気温度ｔ０まで下がっている。第１ジョブ完了時間Ｌ１は、図７に示すように、スリープモードをとる時刻ｐ２から時刻ｐ３までの時間Ｌ４と、復帰時間Ｌ３、時刻ｐ４から実行される印刷ジョブの未実行部分の画像記録に要する時間Ｌ５とを足し合わせた時間となる。要するに時間Ｌ１は、時刻ｐ２から時刻ｐ５までの時間である。一方、第２ジョブ完了時間Ｌ２は、温度保護モードをとる時刻ｐ６から時刻ｐ７までの時間Ｌ６と、時刻ｐ２から時刻ｐ３までの同様に温度保護モードをとる時間Ｌ７と、時刻ｐ３から実行される印刷ジョブの未実行部分の画像記録動作を行いＡＳＩＣ１７近傍の温度が上限温度ｔ１に到達するまでに要する時間Ｌ８ａと、解除温度ｔ２に到達した時刻ｐ７からの印刷ジョブの未実行部分の画像記録に要する時間Ｌ８ｂとを足し合わせた時間となる。
【００８１】
第１ジョブ完了時間Ｌ１の印刷ジョブの未実行部分の画像記録に要する時間Ｌ５と、第２ジョブ完了時間Ｌ２の印刷ジョブの未実行部分の画像記録に要する時間Ｌ８ａと時間Ｌ８ｂとを足し合わせた時間とが互いに同じ時間となる。さらに、第１ジョブ完了時間Ｌ１の時間Ｌ４と第２ジョブ完了時間Ｌ２の時間Ｌ７も互いに同じ時間となる。このため、電力制御回路１７ｅは、温度センサ２２，２３によって検出された温度に基づいて、第１ジョブ完了時間Ｌ１としての時間Ｌ３と、第２ジョブ完了時間Ｌ２としての時間Ｌ６とを比較して、いずれが大きいか又は同じであるかを判定する。つまり、本変形例においては、復帰時間Ｌ３と、温度センサ２２によって検出されたＡＳＩＣ１７付近の温度が上限温度ｔ１に達したときにとる温度保護モードの時間Ｌ６とを比較すればよい。
【００８２】
このような判定処理において、第１ジョブ完了時間Ｌ１が、第２ジョブ完了時間Ｌ２未満の場合、電力制御回路１７ｅは、スリープモードをとるように、電源部１６ｅを制御する。この後、ユーザによってエラー解除ボタン（不図示）や規定の動作が行われることで、エラー解除された場合、電力制御回路１７ｅは、通常モードをとるように、電源部１６ｅを制御する。この後、上述のステップＳ１１以降の処理と同様の処理が実行される。
【００８３】
一方、電力制御回路１７ｅは、第１ジョブ完了時間Ｌ１が第２ジョブ完了時間Ｌ２以上である場合は、このままユーザによってエラー解除されるまで待機する。そして、エラー解除が行われると、電力制御回路１７ｅが、通常モードととるように電源部１６ｅを制御し、ヘッド制御回路１７ａ及び搬送制御回路１７ｂが、印刷ジョブの未実行部分に基づいて、複合ＩＣ１８を介して搬送モータ１３ｄ及びインクジェットヘッド１４ｉを制御し、画像記録を再開する。その後、上述のステップＳ１２以降の処理と同様の処理が実行される。こうして、画像記録処理が終了する。
【００８４】
このような第２変形例によると、搬送モータ１３ｄなどのデバイスに駆動エラーが生じて（時刻ｐ１）からエラー処理が終了する（時刻ｐ３）までに、第１ジョブ完了時間Ｌ１と第２ジョブ完了時間Ｌ２とを比較することが可能となり、エラー処理が終了するまでにスリープモード又は温度保護モードに移行することが可能となる。このため、印刷ジョブを完了するまでのジョブ時間を短くすることが可能となる。
【００８５】
また、報知ブザー２５を有しているため、エラーが生じていることをユーザに報知することが可能となる。
【００８６】
以上、本発明の好適な実施の形態について説明したが、本発明は上述の実施の形態に限られるものではなく、特許請求の範囲に記載した限りにおいて様々な変更が可能なものである。例えば、上述の実施形態及び各変形例における画像記録装置としての複合機１は、プリンタ部１０を有しておれば、スキャナユニット４０及び給送装置５０が設けられていなくてもよい。また、報知ブザー２５及び環境温度を検出する温度センサ２３も設けられていなくてもよい。また、温度センサ２２は、ＡＳＩＣ１７の温度を直接的に検出してもよい。また、電力制御回路１７ｅは、ＡＳＩＣ１７とは別の電子部品によって構成されていてもよい。
【００８７】
また、上述の実施形態及び各変形例における複合機１は、ライン式・シリアル式のいずれにも適用可能である。また、画像記録ユニット１４は、インクジェット式に限定されず、レーザー式、サーマル式等であってもよい。
【符号の説明】
【００８８】
１  複合機（画像記録装置）
１３ｄ  搬送モータ（デバイス）
１４ｉ  インクジェットヘッド（画像記録部：デバイス）
１７  ＡＳＩＣ（第２電子部品）
１７ｅ  電力制御回路（電力制御部）
１８  ＩＣ（第１電子部品）
２２，２３  温度センサ
２５  報知ブザー（報知手段）
４０  スキャナユニット（デバイス）
５０  給送装置（デバイス）
【図１】
2019018443.tif 000003
【図２】
2019018443.tif 000004
【図３】
2019018443.tif 000005
【図４】
2019018443.tif 000006
【図５】
2019018443.tif 000007
【図６】
2019018443.tif 000008
【図７】
2019018443.tif 000009